(57)【要約】【課題】洗濯物に帯電した静電気を効果的に除去できる縦型洗濯乾燥機を提供する。【解決手段】縦型洗濯乾燥機は、縦型の洗濯槽(３)と、洗濯槽(３)内の洗濯物を乾燥させるための加熱装置(６０)と、洗濯槽(３)内に供給する除電イオンを発生する除電イオン発生装置(７０)と、除電イオン発生装置(７０)で発生した除電イオンを洗濯槽(３)内に吹き出すための送風装置(５０)と、加熱装置(６０)と除電イオン発生装置(７０)および送風装置(５０)を制御する制御装置を備える。制御装置は、加熱装置(６０)により洗濯槽(３)内の洗濯物を乾燥させる乾燥運転を行うと共に、少なくとも乾燥運転の終了後に、洗濯槽(３)内の洗濯物が洗濯槽(３)に対して静止した状態で、除電イオン発生装置(７０)により発生させた除電イオンを送風装置(５０)により洗濯槽(３)内に供給する除電運転を行う。【選択図】図４
2015204912.tif 000002
【特許請求の範囲】
【請求項１】
縦型の洗濯槽と、
上記洗濯槽内の洗濯物を乾燥させるための加熱装置と、
上記洗濯槽内に供給する除電イオンを発生する除電イオン発生装置と、
上記除電イオン発生装置で発生した除電イオンを上記洗濯槽内に吹き出すための送風装置と、
上記加熱装置と上記除電イオン発生装置および上記送風装置を制御する制御装置と
を備え、
上記制御装置は、
上記加熱装置により上記洗濯槽内の洗濯物を乾燥させる乾燥運転を行うと共に、
少なくとも上記乾燥運転の終了後に、上記洗濯槽内の洗濯物が上記洗濯槽に対して静止した状態で、上記除電イオン発生装置により発生させた除電イオンを上記送風装置により上記洗濯槽内に供給する除電運転を行うことを特徴とする縦型洗濯乾燥機。
【請求項２】
請求項１に記載の縦型洗濯乾燥機において、
上記除電イオン発生装置から発生した除電イオンの一部を、上記洗濯槽の上側から上記洗濯槽内の斜め下方に向けて吹き出すように案内する除電イオン案内部を有することを特徴とする縦型洗濯乾燥機。
【請求項３】
請求項２に記載の縦型洗濯乾燥機において、
上記除電イオン案内部は、上記洗濯槽の上部開口の上方に配置され、上記除電イオン発生装置から発生した除電イオンの一部を、上記洗濯槽内の底部に向けて吹き出すように案内することを特徴とする縦型洗濯乾燥機。
【請求項４】
請求項１から３までのいずれか１つに記載の縦型洗濯乾燥機において、
上記除電運転中に上記洗濯槽を洗濯時の回転速度よりも低い回転速度で回転させる駆動ユニットを備えたことを特徴とする縦型洗濯乾燥機。
【請求項５】
請求項１から４までのいずれか１つに記載の縦型洗濯乾燥機において、
上記除電運転中に上記洗濯槽内の空気を定期的に外気と入れ換えるための換気装置を備えたことを特徴とする縦型洗濯乾燥機。
【発明の詳細な説明】
【技術分野】
【０００１】
この発明は、縦型洗濯乾燥機に関し、詳しくは、縦型の洗濯槽を備えた縦型洗濯乾燥機に関する。
【背景技術】
【０００２】
乾燥運転後の冷却運転において、横向き回転ドラムと給排気ファンを回転させながら、イオン発生器により発生させた正イオンと負イオンによって、乾燥運転中に衣類に帯電した静電気を除去する衣類乾燥機がある(例えば、特開２０１２−２４５０６号公報(特許文献１)参照)。
【先行技術文献】
【特許文献】
【０００３】
【特許文献１】特開２０１２−２４５０６号公報
【発明の概要】
【発明が解決しようとする課題】
【０００４】
しかしながら、上記衣類乾燥機では、横向き回転ドラムの回転により衣類が攪拌されて擦れ合うことにより静電気が発生するために除電効果が十分でないという問題がある。このような問題は、横型の洗濯槽を備えたドラム式洗濯乾燥機においても同様である。
【０００５】
従来、縦型の洗濯槽を備えた縦型洗濯乾燥機において、このような乾燥運転後に洗濯物に帯電した静電気を除去するものは提案されていなかった。
【０００６】
そこで、この発明の課題は、洗濯物に帯電した静電気を効果的に除去できる縦型洗濯乾燥機を提供することにある。
【課題を解決するための手段】
【０００７】
上記課題を解決するため、この発明の縦型洗濯乾燥機は、
縦型の洗濯槽と、
上記洗濯槽内の洗濯物を乾燥させるための加熱装置と、
上記洗濯槽内に供給する除電イオンを発生する除電イオン発生装置と、
上記除電イオン発生装置で発生した除電イオンを上記洗濯槽内に吹き出すための送風装置と、
上記加熱装置と上記除電イオン発生装置および上記送風装置を制御する制御装置と
を備え、
上記制御装置は、
上記加熱装置により上記洗濯槽内の洗濯物を乾燥させる乾燥運転を行うと共に、
少なくとも上記乾燥運転の終了後に、上記洗濯槽内の洗濯物が上記洗濯槽に対して静止した状態で、上記除電イオン発生装置により発生させた除電イオンを上記送風装置により上記洗濯槽内に供給する除電運転を行うことを特徴とする。
【０００８】
ここで、「除電イオン」とは、洗濯物に帯電した静電気を除去する効果を有するイオンである。また「洗濯槽内の洗濯物が洗濯槽に対して静止した状態」とは、洗濯物の入った洗濯槽自体が回転などせずに静止している状態や、洗濯槽が回転しても洗濯物が洗濯槽と共に回転することで洗濯槽に対して洗濯物が相対的に静止している状態である。
【０００９】
また、一実施形態の縦型洗濯乾燥機では、
上記除電イオン発生装置から発生した除電イオンの一部を、上記洗濯槽の上側から上記洗濯槽内の斜め下方に向けて吹き出すように案内する除電イオン案内部を有する。
【００１０】
また、一実施形態の縦型洗濯乾燥機では、
上記除電イオン案内部は、上記洗濯槽の上部開口の上方に配置され、上記除電イオン発生装置から発生した除電イオンの一部を、上記洗濯槽内の底部に向けて吹き出すように案内する。
【００１１】
また、一実施形態の縦型洗濯乾燥機では、
上記除電運転中に上記洗濯槽を洗濯時の回転速度よりも低い回転速度で回転させる駆動ユニットを備えた。
【００１２】
また、一実施形態の縦型洗濯乾燥機では、
上記除電運転中に上記洗濯槽内の空気を定期的に外気と入れ換えるための換気装置を備えた。
【００１３】
また、一実施形態の縦型洗濯乾燥機では、
上記洗濯槽内に被除電物を吊り下げるハンガーを係止するためのハンガー係止部と、
上記洗濯槽内の底部に回転可能に取り付けられ、上記制御装置により制御される撹拌翼と
を備え、
上記制御装置は、
上記除電運転において、上記ハンガー係止部に係止させた上記ハンガーによって上記洗濯槽内に吊り下げられた上記被除電物に対して、上記除電イオン発生装置で発生した除電イオンを上記送風装置により供給すると共に、
上記除電運転中に、上記撹拌翼の正回転動作と逆回転動作を交互に行う。
【００１４】
ここで、被除電物は、乾いた洗濯物である衣類やタオル、着用していた衣類、および、収納されていた衣類などを含む。
【００１５】
また、一実施形態の縦型洗濯乾燥機では、
上記送風装置は、上記洗濯槽内の空気を上記加熱装置を介して循環させる循環ファンであって、
上記循環ファンにより上記洗濯槽内の空気が上記加熱装置を介して循環する循環経路を備え、
上記除電イオン発生装置で発生した除電イオンを、上記循環経路を循環する空気と共に上記循環経路の吹出口から上記洗濯槽内に吹き出す。
【発明の効果】
【００１６】
以上より明らかなように、この発明によれば、乾燥運転の終了後に、洗濯槽内の洗濯物が洗濯槽に対して静止した状態で、除電イオン発生装置により発生させた除電イオンを送風装置により洗濯槽内に供給することによって、洗濯物に帯電した静電気を効果的に除去できる縦型洗濯乾燥機を実現することができる。
【図面の簡単な説明】
【００１７】
【図１】図１はこの発明の第１実施形態の縦型洗濯乾燥機の外観を示す斜視図である。
【図２】図２は上記縦型洗濯乾燥機の概略構成を示す右側方から見た縦断面図である。
【図３】図３は上記縦型洗濯乾燥機の制御ブロック図である。
【図４】図４は上記縦型洗濯乾燥機の「内部循環モード」における断面模式図である。
【図５】図５は上記縦型洗濯乾燥機の「混合循環モード」における断面模式図である。
【図６】図６は上記縦型洗濯乾燥機の「外気導入モード」における断面模式図である。
【図７】図７は上記縦型洗濯乾燥機の扉を開けた状態を側方から見た縦断面図である。
【図８】図８はこの発明の第４実施形態の縦型洗濯乾燥機を側方から見た縦断面図である。
【発明を実施するための形態】
【００１８】
以下、この発明の縦型洗濯乾燥機を図示の実施の形態により詳細に説明する。
【００１９】
〔第１実施形態〕
図１はこの発明の第１実施形態の縦型洗濯乾燥機の外観を示す斜視図を示している。
【００２０】
この第１実施形態の縦型洗濯乾燥機は、図１に示すように、金属または合成樹脂製の外箱１と、水槽２,洗濯槽３(図２に示す)の開口を開閉する扉４と、外箱１の上面に運転動作を選択指示入力すると共に運転状態を表示する操作表示部５とを備える。
【００２１】
図２は上記縦型洗濯乾燥機の概略構成を示す右側方から見た縦断面図である。図２に示すように、外箱１は直方体形状に成形され、その外箱１の上面および底面は開口部となっている。また、外箱１の上面開口部には、操作表示部５等が設けられた合成樹脂製の上面パネル１１が固定されている。外箱１の底面開口部には、合成樹脂製のベース１２が固定されている。
【００２２】
また、外箱１内には、縦型の洗濯槽３と、その洗濯槽３を収納する水槽２を収容している。この洗濯槽３は、洗剤を溶かした水またはすすぎ用の水を溜める。また、水槽２および洗濯槽３は、上側が開口した有底筒状のカップの形状をしており、各々中心軸を垂直にして、水槽２を外側とし、洗濯槽３を内側とする形で同軸に配置されている。
【００２３】
洗濯槽３の上部開口部の縁に、洗濯物の脱水時に洗濯槽３を高速回転させたときに振動を抑制する働きをする環状のバランサ２１を装着している。洗濯槽３内の底面に撹拌翼２０(パルセータ)を回転可能に配置している。
【００２４】
また、外箱１内の水槽２の下側に、クラッチ・ブレーキ機構３１と駆動モータ３２とを有する駆動ユニット３０を取り付けている。このクラッチ・ブレーキ機構３１の回転軸３１aの先端に撹拌翼２０を取り付けている。上記クラッチ・ブレーキ機構３１によって、回転軸３１aと洗濯槽３とを連結して洗濯槽３を回転させたり、回転軸３１aと撹拌翼２０とを連結して撹拌翼２０を回転させたりする。
【００２５】
また、上記縦型洗濯乾燥機は、外箱１内の上側かつ後面側に、乾燥用空気を洗濯槽３内に供給する送風装置の一例としての送風ユニット５０を備えている。送風ユニット５０の吹出口に、洗濯槽３へと乾燥空気を吹き込むための吹込ダクト４３を接続している。この吹込ダクト４３は、除電イオン案内部の一例である。
【００２６】
また、外箱１内の水槽２および洗濯槽３の上側に仕切板６を設けている。そして、水槽２の上端部と仕切板６との間を連結する環状の弾性体７が取り付けられている。これにより、水槽２を含め洗濯槽３と扉４との間の空間を気密状態にし、扉４から下側を乾燥空間として利用できる。
【００２７】
また、上面パネル１１に洗濯槽３内に洗濯物を投入するための洗濯物投入口１aを設けている。その洗濯物投入口１aを開閉する扉４を、上面パネル１１の奧側で回動可能に支持している。扉４を上下に回動させて洗濯物投入口１aを開閉する。
【００２８】
また、図３は上記縦型洗濯乾燥機の制御ブロック図を示している。この縦型洗濯乾燥機は、図３に示すように、マイクロコンピュータおよび入出力回路などからなる制御装置１００を備えている。この制御装置１００は、操作部５aと表示部５bを有する操作表示部５と、水位センサ２２と、温度センサ２３と、湿度センサ２４と、扉開閉センサ２５と、クラッチ・ブレーキ機構３１と、駆動モータ３２と、送風ファン用モータ５３と、加熱装置の一例としてのヒータ６０と、除電イオン発生装置７０と、風路切替機構４０の切替弁６１と、除電イオン放出弁６２および給水弁８０が接続されている。制御装置１００は、操作部５a,水位センサ２２,温度センサ２３,湿度センサ２４,扉開閉センサ２５からの信号に基づいて、表示部５b,クラッチ・ブレーキ機構３１,駆動モータ３２,送風ファン用モータ５３,ヒータ６０,除電イオン発生装置７０,切替弁６１,除電イオン放出弁６２および給水弁８０を制御する。
【００２９】
図４は上記縦型洗濯乾燥機の「内部循環モード」における断面模式図を示している。図４において、図１,図２に示す構成と同一の構成部には、同一参照番号を付している。
【００３０】
図４に示すように、送風ユニット５０は、ハウジング５１と、ハウジング５１内に配置された送風ファン５２と、送風ファン５２を回転駆動する送風ファン用モータ５３とを有する。この送風ユニット５０は、循環ファンの一例である。送風ユニット５０の送風ファン５２から吹き出す空気を吹込ダクト４３により洗濯槽３内に案内する。また、洗濯槽３の内部と送風ファン５２の吸込側とを接続する還流ダクト４２を設けている。さらに、扉４が閉じられているときに洗濯槽３内からの排気を可能とする排気ダクト４５を設けている。
【００３１】
また、送風ファン５２の吸込側に、水槽２の外側から送風ファン５２に空気を流入させる外気導入ダクト４１を接続している。さらに、送風ファン５２の吸込側に、還流ダクト４２と外気導入ダクト４１の合流部の風路を切り替える風路切替機構４０を設けている。この風路切替機構４０は、電動式の切替弁６１を有している。図４では、風路切替機構４０の切替弁６１によって、還流ダクト４２を開き、外気導入ダクト４１を閉じている。
【００３２】
上記吹込ダクト４３内に、送風ファン５２から吹き出す空気を加熱するヒータ６０を配置している。
【００３３】
また、送風ファン５２の吸込側に吸気フィルタ５４を設けると共に、排気ダクト４５に排気フィルタ５５を設けている。
【００３４】
また、吹込ダクト４３の上側に、除電イオンを発生させて吹込ダクト４３内に供給する除電イオン発生装置７０を設けている。吹込ダクト４３には、除電イオン発生装置７０の下流側に、除電イオンを機外に放出するための除電イオン放出ダクト４４の一端を接続している。この除電イオン放出ダクト４４と吹込ダクト４３との接続部に、除電イオン放出弁６２を配置している。この除電イオン放出弁６２は、吹込ダクト４３を開いて除電イオン放出ダクト４４を閉じた状態(図４に示す)にする一方、除電イオン放出ダクト４４を開いて吹込ダクト４３を一部開いた状態(図４の一点鎖線で示す)にする。
【００３５】
次に、上記縦型洗濯乾燥機において、洗濯運転とすすぎ運転と脱水運転と乾燥運転および除電運転を行う一連の動作について説明する。なお、除電運転は、少なくとも乾燥運転後に行えばよい。
【００３６】
＜洗濯運転＞
まず、洗濯槽３内に洗濯物と洗剤を投入した後、扉４を閉じて、操作部５a(図３に示す)を操作して洗濯条件を選択してスタートボタンを押すと、制御装置１００は洗濯運転をスタートする。
【００３７】
この洗濯運転では、制御装置１００によって、給水弁８０を開いて、洗濯槽３内に所定量の水を給水した後、給水弁８０を閉じる。
【００３８】
次に、クラッチ・ブレーキ機構３１のクラッチ操作によりクラッチ・ブレーキ機構３１の回転軸３１aを撹拌翼２０に連結して、駆動モータ３２を駆動する。これにより、撹拌翼２０が回転して、洗濯槽３内の水を攪拌する。
【００３９】
そして、洗濯運転の開始から所定時間が経過した後、駆動モータ３２を停止して、洗濯運転を終了する。
【００４０】
＜脱水運転＞
次に、制御装置１００は脱水運転をスタートする。この脱水運転では、制御装置１００によって、クラッチ・ブレーキ機構３１のクラッチ操作によりクラッチ・ブレーキ機構３１の回転軸３１aを洗濯槽３に連結して、駆動モータ３２を駆動する。これにより、撹拌翼２０も洗濯槽３と共に回転する。
【００４１】
上記洗濯槽３が高速で回転することにより、洗濯物が遠心力で洗濯槽３の周壁に押し付けられ、洗濯物に含まれていた洗濯水は、洗濯槽３の脱水孔(図示せず)から放出されて、水槽２の内面で受け止められる。水槽２の内面で受け止められた洗濯水は、水槽２の底部から排水ホースを通って外部に排水される。
【００４２】
そして、脱水運転の開始から所定の脱水時間が経過した後、制御装置１００は駆動モータ３２を停止し、クラッチ・ブレーキ機構３１による制動によって洗濯槽３の回転を止める。
【００４３】
＜すすぎ運転＞
次に、制御装置１００はすすぎ運転をスタートする。このすすぎ運転では、制御装置１００によって、給水弁８０を開いて、洗濯槽３に所定量の水を洗濯槽３に給水する。
【００４４】
そして、クラッチ・ブレーキ機構３１のクラッチ操作によりクラッチ・ブレーキ機構３１の回転軸３１aを撹拌翼２０に連結して、駆動モータ３２を駆動する。これにより、撹拌翼２０が回転して、洗濯槽３内の水を攪拌する。
【００４５】
このすすぎ運転では、給水,攪拌,排水を１回または複数回行う。
【００４６】
＜乾燥運転＞
次に、制御装置１００は乾燥運転をスタートする。この乾燥運転の最初の段階では、制御装置１００は、図４に示すように、風路切替機構４０の切替弁６１により、還流ダクト４２を開き、外気導入ダクト４１を閉じて、乾燥モードを「内気循環モード」とする。
【００４７】
次に、送風ファン５２を駆動して、ヒータ６０に通電する。これによって、吹込ダクト４３から温風が洗濯槽３に吹き込まれて、洗濯槽３内の洗濯物を加熱した後、還流ダクト４２を介して送風ファン５２に戻り、洗濯槽３内の空気が循環する。還流ダクト４２と吹込ダクト４３および送風ユニット５０のハウジング５１で、洗濯槽３内の空気がヒータ６０を介して循環する循環経路を構成している。
【００４８】
この「内気循環モード」では、温風が縦型洗濯乾燥機の外に出ないため、熱が洗濯槽３の内部にこもり、洗濯槽３の内部の温度が速やかに上昇する。また、制御装置１００は、洗濯槽３内の洗濯物に温風が均等に当たるように、洗濯槽３を脱水運転時の回転数よりも低い回転数で回転させる。
【００４９】
洗濯槽３の内部の温度が上昇するにつれ、洗濯物から水分が蒸発し、内気循環の空気は水分を多く含むことになる。そして、洗濯槽３の内部温度が所定値まで上昇したことを温度センサ２３により検出すると、制御装置１００は乾燥モードを次の「混合循環モード」に切り替える。
【００５０】
図５は上記縦型洗濯乾燥機の「混合循環モード」における断面模式図を示している。図５において、図１,図２に示す構成と同一の構成部には、同一参照番号を付している。
【００５１】
この「混合循環モード」において、風路切替機構４０の切替弁６１は、外気導入ダクト４１を閉じて還流ダクト４２を開いた状態(図４に示す)と還流ダクト４２を閉じて外気導入ダクト４１を開いた状態(図６に示す)との中間に位置している。これにより、還流ダクト４２と外気導入ダクト４１の両方から空気が送風ファン５２に流入するので、還流ダクト４２に吸い込まれる空気量が減少し、吹込ダクト４３から吹き出す空気の全量を還流ダクト４２で引き受けることができなくなる。還流ダクト４２で吸い込まれなかった分の空気は、排気ダクト４５を介して外部に排出する。
【００５２】
上記排気ダクト４５から排出される空気は、水分を多く含むので、洗濯槽３内から水分を効率よく排出できる。一方、洗濯槽３内の空気の全てが排気ダクト４５から排出されることなく、空気の一部は還流ダクト４２を介して循環するので、洗濯槽３内の高温状態を維持できる。
【００５３】
そして、湿度センサ２４により検出された洗濯槽３内の湿度が所定値以下になると、制御装置１００によって、送風ファン５２と駆動モータ３２を停止すると共に、ヒータ６０への通電を停止する。
【００５４】
なお、「内気循環モード」から「混合循環モード」への切り替えにあたり、上記の説明では、洗濯槽３の内部の温度が所定値まで上昇したことを温度センサ２３が検知したことを切り替えの条件としたが、洗濯槽３の内部湿度が所定値まで上昇したことを湿度センサ２４が検知したことを切り替えの条件とするようにしてもよい。
【００５５】
また、「混合循環モード」で乾燥運転を終えるのでなく、その後に図６に示す「外気導入モード」の乾燥運転を追加してもよい。図６において、図１,図２に示す構成と同一の構成部には、同一参照番号を付している。
【００５６】
図６では、風路切替機構４０の切替弁６１は、還流ダクト４２を閉じて外気導入ダクト４１を開いている。この「外気導入モード」では、還流ダクト４２から洗濯槽３内の空気が吸い込まれず、吹込ダクト４３から吹き出される空気は全て排気ダクト４５を介して外部に排出される。
【００５７】
上記外気導入ダクト４１と吹込ダクト４３と排気ダクト４５と送風ユニット５０で換気装置を構成している。なお、換気装置は、これに限らず、別に設けた他の構成の換気装置であってもよい。
【００５８】
＜除電運転＞
次に、制御装置１００は除電運転をスタートする。この除電運転では、乾燥運転の「内気循環モード」と同様に、風路切替機構４０の切替弁６１により、還流ダクト４２を開き、外気導入ダクト４１を閉じて、洗濯槽３内の空気を還流ダクト４２と吹込ダクト４３および送風ユニット５０を介して循環させる(図４参照)。
【００５９】
乾燥運転の終了後に、洗濯槽３や撹拌翼２０が回転せずに停止した状態で、除電イオン発生装置７０により発生させた除電イオンを送風ファン５２により吹込ダクト４３を介して洗濯槽３内に供給する除電運転を行うことによって、洗濯物が攪拌されて擦れ合うことにより静電気が発生することなく、洗濯物に帯電した静電気を効果的に除去することができる。
【００６０】
また、図２に示すように、洗濯槽３の上部開口の上方に配置された吹込ダクト４３(除電イオン案内部)により、除電イオン発生装置７０から発生した除電イオンの一部を、洗濯槽３の上側から洗濯槽３内の斜め下方に向けて矢印Ｒ１の方向に吹き出すように案内すると共に、除電イオン発生装置７０から発生した除電イオンの一部を、洗濯槽３内の底部に向けて矢印Ｒ２の方向に吹き出すように案内する。吹込ダクト４３の吹出口４３aには、整流板やノズルなどを用いて吹出空気を矢印Ｒ１,Ｒ２の方向に夫々案内する構成としている。
【００６１】
これによって、洗濯槽３内の底部に溜まった洗濯物に対して、除電イオンを効率よく供給できる。
【００６２】
また、上記除電イオン発生装置７０で発生した除電イオンを、循環経路(還流ダクト４２と吹込ダクト４３および送風ユニット５０)を循環する空気と共に吹込ダクト４３の吹出口から洗濯槽３内に吹き出すことによって、乾燥運転で用いられる送風ユニット５０(循環ファン)を除電イオン用の送風装置として兼用でき、構成を簡略化することができる。
【００６３】
上記除電運転は、ユーザーが操作部５aの電源スイッチを操作して本体に供給される電源を遮断することにより終了するか、または、洗濯物を洗濯槽３内から取り出すために扉４を開けて、次に扉４を閉じたときに終了する。
【００６４】
なお、上記除電運転は、ユーザーの操作部５a(図３に示す)の操作により、除電運転を行うか否かを設定することが可能である。また、除電運転中は、表示部５b(図３に示す)において点滅ランプなどにより除電運転中であることをユーザーに知らせる。
【００６５】
また、図７は上記縦型洗濯乾燥機の扉４を開けた状態を側方から見た縦断面図を示しており、図７において、図１,図２に示す構成と同一の構成部には、同一参照番号を付している。
【００６６】
図７に示すように、除電イオン発生装置７０から発生した除電イオンの一部が、洗濯槽３の上側の吹込ダクト４３の吹出口から洗濯槽３内の斜め下方に向けて矢印Ｒ１の方向に吹き出すことにより、洗濯槽３内の底部から洗濯物をユーザーが取り出すときに、洗濯槽３の上側開口を通過する洗濯物に除電イオンが供給されて静電気が除去され、より効果的な除電ができる。
【００６７】
上記吹込ダクト４３の吹出口は、洗濯物を洗濯槽３内から取り出すときに洗濯槽３の上側開口の領域全てに除電イオンを供給する形状にしている。このとき、洗濯槽３の上側の吹込ダクト４３の吹出口から、除電イオンを洗濯槽３内の斜め下方に向けて吹き出すことにより、洗濯槽３の内壁に除電イオンが衝突して洗濯槽３外に漏出することを防止できる。また、洗濯物の取り出し時にも、洗濯槽３内の底部に向けて矢印Ｒ２の方向に吹き出して、洗濯槽３の底部へ継続的に除電イオンを供給するので、洗濯槽３の底に残る洗濯物に対して除電効果を維持し続けることができる。
【００６８】
なお、洗濯運転の開始の前に、乾燥運転で除電イオンを発生する設定にしてもよい。この場合、乾燥運転時に、制御装置１００によって除電イオン発生装置７０を動作させて、吹込ダクト４３の内部に除電イオンを放出させる。このとき、除電イオン放出弁６２によって、吹込ダクト４３を開いて、除電イオン放出ダクト４４を閉じることにより、放出された除電イオンはすべて洗濯槽３内に供給される。
【００６９】
こうして、乾燥温風と共に洗濯槽３に吹き込まれた除電イオンは、洗濯物に帯電した静電気を除去する。この乾燥運転中の除電は、「内気循環モード」に限らず、「混合循環モード」または「外気導入モード」で除電イオン発生装置７０を動作させて除電してもよい。
【００７０】
また、除電イオン発生装置７０により発生させた除電イオンに除菌、防カビ、脱臭の機能を有する場合、洗濯をしないときに、除電イオン放出弁６２によって、除電イオン放出ダクト４４を開いて、吹込ダクト４３も一部開くことで、除電、除菌、防カビ、脱臭を目的とする「イオン放出モード」で運転してもよい。
【００７１】
＜除電イオン発生装置について＞
除電イオン発生装置７０は、プラスイオンを発生するプラスイオン発生部とマイナスイオンを発生するマイナスイオン発生部からなる。このプラスイオン発生部とマイナスイオン発生部は、除電イオン発生装置７０に互いに所定の間隔をあけて設けられている。
【００７２】
上記除電イオン発生装置７０のプラスイオン発生部では、例えば、針電極に実効電圧２ｋＶ以上の電圧と、０Ｖとが切り替わる６０Ｈz(または５０Ｈz)の交流が印加される一方、誘導電極には、０Ｖの直流が印加される。針電極に実効電圧２ｋＶ以上が印加されているときに、針電極と誘導電極との間の電位差によるコロナ放電がおこり、針電極の先端部近傍で空気中の水分子が電離して、水素イオン(Ｈ＋)が生成する。この水素イオンが空気中の水分子と群状態で結合(クラスタリング)し、Ｈ＋(Ｈ２Ｏ)ｍからなるプラスイオンが発生する(ｍは任意の自然数)。
【００７３】
一方、除電イオン発生装置７０のマイナスイオン発生部では、例えば、針電極に実効電圧−２ｋＶ以下の電圧と、０Ｖとが切り替わる６０Ｈz(または５０Ｈz)の交流が印加される一方、誘導電極には、０Ｖの直流が印加されるようになっており、マイナスイオンが発生するようになっている。このマイナスイオンは、空気中の酸素分子または水分子が電離してできる酸素イオン(Ｏ２−)である。この酸素イオンが空気中の水分子と結合(クラスタリング)して、Ｏ２−(Ｈ２Ｏ)ｎからなる負イオンが発生する(ｎは任意の自然数)。
【００７４】
この第１実施形態では、プラスイオン発生部とマイナスイオン発生部は、プラスイオン発生部とマイナスイオン発生部の両方に通電して、プラスイオンとマイナスイオンを同時に発生させ、空気にプラスイオンとマイナスイオンの両方を混合する。
【００７５】
なお、除電イオン発生装置は、上記の構成に限らず、洗濯物に帯電した静電気を除去する効果を有するイオンを発生するものであればよい。
【００７６】
〔第２実施形態〕
次に、この発明の第２実施形態の縦型洗濯乾燥機について説明する。この第２実施形態の縦型洗濯乾燥機は、除電運転時の動作を除いて第１実施形態の縦型洗濯乾燥機と同一の構成をしており、図１〜図７を援用する。
【００７７】
この第２実施形態の縦型洗濯乾燥機では、除電イオン発生装置７０により発生させた除電イオンを洗濯槽３内に供給する除電運転中に、駆動ユニット３０によって洗濯槽３を洗濯運転時の回転速度よりも低い回転速度で回転させることで、洗濯槽３内の底部に溜まった洗濯物に対して、除電イオンを略均一に供給でき、除電効果を高めることができる。このとき、洗濯槽３の回転速度は、洗濯槽３内の洗濯物が洗濯槽３に対して静止した状態を保ち、洗濯物同士が擦れ合うことのない低回転速度とする。
【００７８】
なお、除電運転中において、洗濯槽３を連続的に回転させてもよいし、洗濯槽３を断続的に回転させてもよい。
【００７９】
上記第２実施形態の縦型洗濯乾燥機は、第１実施形態の縦型洗濯乾燥機と同様の効果を有する。
【００８０】
〔第３実施形態〕
次に、この発明の第３実施形態の縦型洗濯乾燥機について説明する。この第３実施形態の縦型洗濯乾燥機は、除電運転時の動作を除いて第１実施形態の縦型洗濯乾燥機と同一の構成をしており、図１〜図７を援用する。
【００８１】
この第３実施形態の縦型洗濯乾燥機では、「内気循環モード」で除電運転しているとき、定期的に、風路切替機構４０の切替弁６１により還流ダクト４２を閉じて外気導入ダクト４１を開く「外気導入モード」にして、洗濯槽３内の空気を外気と入れ換える。
【００８２】
これにより、除電運転中に、静電気を帯びた洗濯物から洗濯槽３内の空気に静電気が移って滞留しても、換気装置(外気導入ダクト４１と吹込ダクト４３と排気ダクト４５および送風ユニット５０)によって洗濯槽３内の空気を定期的に外気と入れ換えることで、帯電した空気を外部に排出でき、除電効果を向上できる。
【００８３】
上記第３実施形態の縦型洗濯乾燥機は、第１実施形態の縦型洗濯乾燥機と同様の効果を有する。
【００８４】
〔第４実施形態〕
図８はこの発明の第４実施形態の縦型洗濯乾燥機を側方から見た縦断面図を示している。この第４実施形態の縦型洗濯乾燥機は、ハンガーを用いた除電運転を除いて第１実施形態の縦型洗濯乾燥機と同一の構成をしており、図１〜図７を援用する。
【００８５】
また、扉４の裏面側にハンガー係止部４aを設けている。このハンガー係止部４aにハンガー２００を掛ける。
【００８６】
上記第４実施形態によれば、ハンガー係止部４aに係止させたハンガー２００によって、被除電物の一例としての衣類を洗濯槽３内に吊り下げて、洗濯槽内に吊り下げられた衣類に対して、除電イオン発生装置７０で発生した除電イオンを送風ファン５２により供給することによって、乾燥運転後の洗濯物に限らず、着用していた衣類などの静電気を除去することができる。ここで、ハンガー２００によって洗濯槽３内に吊り下げるものは、被除電物の一例としての衣類に限らず、タオル、着用していた衣類、収納されていた衣類などの被除電物でもよい。
【００８７】
さらに、除電運転中に、撹拌翼２０の正回転動作と逆回転動作を交互にかつ間欠的に行うことによって、洗濯槽３内の除電イオンが空気と共に攪拌され、略均一な除電効果が得られる。
【００８８】
なお、撹拌翼２０の正回転動作と逆回転動作を交互に連続して繰り返してもよい。
【００８９】
上記第４実施形態の縦型洗濯乾燥機は、第１実施形態の縦型洗濯乾燥機と同様の効果を有する。
【００９０】
この発明の具体的な実施の形態について説明したが、この発明は上記第１〜第４実施形態に限定されるものではなく、この発明の範囲内で種々変更して実施することができる。
【００９１】
この発明および実施形態をまとめると、次のようになる。
【００９２】
この発明の縦型洗濯乾燥機は、
縦型の洗濯槽３と、
上記洗濯槽３内の洗濯物を乾燥させるための加熱装置６０と、
上記洗濯槽３内に供給する除電イオンを発生する除電イオン発生装置７０と、
上記除電イオン発生装置７０で発生した除電イオンを上記洗濯槽３内に吹き出すための送風装置５０と、
上記加熱装置６０と上記除電イオン発生装置７０および上記送風装置５０を制御する制御装置１００と
を備え、
上記制御装置１００は、
上記加熱装置６０により上記洗濯槽３内の洗濯物を乾燥させる乾燥運転を行うと共に、
少なくとも上記乾燥運転の終了後に、上記洗濯槽３内の洗濯物が上記洗濯槽３に対して静止した状態で、上記除電イオン発生装置７０により発生させた除電イオンを上記送風装置５０により上記洗濯槽３内に供給する除電運転を行うことを特徴とする。
【００９３】
ここで、「除電イオン」とは、洗濯物に帯電した静電気を除去する効果を有するイオンである。また「洗濯槽３内の洗濯物が洗濯槽３に対して静止した状態」とは、洗濯物の入った洗濯槽３自体が回転などせずに静止している状態や、洗濯槽３が回転しても洗濯物が洗濯槽３と共に回転することで洗濯槽３に対して洗濯物が相対的に静止している状態である。
【００９４】
上記構成によれば、加熱装置６０により洗濯槽３内の洗濯物を乾燥させる乾燥運転の終了後に、洗濯槽３内の洗濯物が洗濯槽３に対して静止した状態で、除電イオン発生装置７０により発生させた除電イオンを送風装置５０により洗濯槽３内に供給する除電運転を行うことによって、洗濯物が攪拌されて擦れ合うことにより静電気が発生することなく、洗濯物に帯電した静電気を効果的に除去できる。
【００９５】
また、一実施形態の縦型洗濯乾燥機では、
上記除電イオン発生装置７０から発生した除電イオンの一部を、上記洗濯槽３の上側から上記洗濯槽３内の斜め下方に向けて吹き出すように案内する除電イオン案内部４３を有する。
【００９６】
上記実施形態によれば、除電イオン発生装置７０から発生した除電イオンの一部を、洗濯槽３の上側から洗濯槽３内の斜め下方に向けて吹き出すように除電イオン案内部４３により案内することによって、洗濯槽３内の底部から洗濯物をユーザーが取り出すときに、洗濯槽３の上側開口を通過する洗濯物に除電イオンが供給されて静電気が除去され、より効果的な除電ができる。
【００９７】
また、一実施形態の縦型洗濯乾燥機では、
上記除電イオン案内部４３は、上記洗濯槽３の上部開口の上方に配置され、上記除電イオン発生装置７０から発生した除電イオンの一部を、上記洗濯槽３内の底部に向けて吹き出すように案内する。
【００９８】
上記実施形態によれば、洗濯槽３の上部開口の上方に配置された除電イオン案内部４３により、除電イオン発生装置７０から発生した除電イオンの一部を、洗濯槽３内の底部に向けて吹き出すように案内することによって、洗濯槽３内の底部に溜まった洗濯物に対して、除電イオンを効率よく供給できる。
【００９９】
また、一実施形態の縦型洗濯乾燥機では、
上記除電運転中に上記洗濯槽３を洗濯時の回転速度よりも低い回転速度で回転させる駆動ユニット３０を備えた。
【０１００】
上記実施形態によれば、除電運転中に駆動ユニット３０によって洗濯槽３を洗濯時の回転速度よりも低い回転速度で回転させることで、洗濯槽３内の底部に溜まった洗濯物に対して、除電イオンを略均一に供給でき、除電効果を高めることができる。
【０１０１】
また、一実施形態の縦型洗濯乾燥機では、
上記除電運転中に上記洗濯槽３内の空気を定期的に外気と入れ換えるための換気装置(４１,４３,４５,５０)を備えた。
【０１０２】
上記実施形態によれば、除電運転中に、静電気を帯びた洗濯物から洗濯槽３内の空気に静電気が移って滞留しても、換気装置(４１,４３,４５,５０)によって洗濯槽３内の空気を定期的に外気と入れ換えることで、帯電した空気を外部に排出でき、除電効果を向上できる。
【０１０３】
また、一実施形態の縦型洗濯乾燥機では、
上記洗濯槽３内に被除電物を吊り下げるハンガー２００を係止するためのハンガー係止部４aと、
上記洗濯槽３内の底部に回転可能に取り付けられ、上記制御装置１００により制御される撹拌翼２０と
を備え、
上記制御装置１００は、
上記除電運転において、上記ハンガー係止部４aに係止させた上記ハンガー２００によって上記洗濯槽３内に吊り下げられた上記被除電物に対して、上記除電イオン発生装置７０で発生した除電イオンを上記送風装置５０により供給すると共に、
上記除電運転中に、上記撹拌翼２０の正回転動作と逆回転動作を交互に行う。
【０１０４】
ここで、被除電物は、乾いた洗濯物である衣類やタオル、着用していた衣類、および、収納されていた衣類などを含む。
【０１０５】
上記実施形態によれば、ハンガー係止部４aに係止させたハンガー２００によって洗濯槽３内に被除電物を吊り下げて、洗濯槽３内に吊り下げられた被除電物に対して、除電イオン発生装置７０で発生した除電イオンを送風装置５０により供給することによって、乾燥運転後の洗濯物に限らず、着用していた衣類などの静電気を除去することができる。さらに、除電運転中に、撹拌翼２０の正回転動作と逆回転動作を交互に行うことによって、洗濯槽３内の除電イオンが空気と共に攪拌され、略均一な除電効果が得られる。
【０１０６】
なお、撹拌翼２０は、正回転動作と逆回転動作を交互に連続しても行ってもよいし、正回転動作と逆回転動作を交互にかつ間欠的に行ってもよい。
【０１０７】
また、一実施形態の縦型洗濯乾燥機では、
上記送風装置５０は、上記洗濯槽３内の空気を上記加熱装置６０を介して循環させる循環ファンであって、
上記循環ファンにより上記洗濯槽３内の空気が上記加熱装置６０を介して循環する循環経路(４２,４３,５１)を備え、
上記除電イオン発生装置７０で発生した除電イオンを、上記循環経路(４２,４３,５１)を循環する空気と共に上記循環経路(４２,４３,５１)の吹出口から上記洗濯槽３内に吹き出す。
【０１０８】
上記実施形態によれば、除電イオン発生装置７０で発生した除電イオンを、循環経路(４２,４３,５１)を循環する空気と共に循環経路(４２,４３,５１)の吹出口から洗濯槽３内に吹き出すことによって、乾燥運転で用いられる循環ファンを除電イオン用の送風装置として兼用でき、構成を簡略化できる。
【符号の説明】
【０１０９】
１…外箱
２…水槽
３…洗濯槽
４…扉
４a…ハンガー係止部
５…操作表示部
５a…操作部
５b…表示部
６…仕切板
７…弾性体
１１…上面パネル
１２…ベース
２０…撹拌翼
２１…バランサ
２２…水位センサ
２３…温度センサ
２４…湿度センサ
２５…扉開閉センサ
３０…駆動ユニット
３１…クラッチ・ブレーキ機構
３２…駆動モータ
４０…風路切替機構
４１…外気導入ダクト
４２…還流ダクト
４３…吹込ダクト
４４…除電イオン放出ダクト
４５…排気ダクト
５０…送風ユニット
５１…ハウジング
５２…送風ファン
５３…送風ファン用モータ
５４…吸気フィルタ
５５…排気フィルタ
６０…ヒータ
６１…切替弁
６２…除電イオン放出弁
７０…除電イオン発生装置
８０…給水弁
１００…制御装置
２００…ハンガー
【図１】
2015204912.tif 000003
【図２】
2015204912.tif 000004
【図３】
2015204912.tif 000005
【図４】
2015204912.tif 000006
【図５】
2015204912.tif 000007
【図６】
2015204912.tif 000008
【図７】
2015204912.tif 000009
【図８】
2015204912.tif 000010